(57)【要約】【課題】小型化が可能なムーブメントを提供する。【解決手段】ムーブメント１０は、第１軸線Ｏ回りに回転可能であって、ぜんまいを巻き上げ可能に設けられた角穴車３０と、第２軸線Ｐ回りに回転可能に設けられ、角穴車３０に噛み合う爪部４２を有するこはぜ４０と、を備える。爪部４２と角穴車３０との接触部６０は、こはぜ４０および角穴車３０の中心線Ｃよりも、ぜんまいの巻き上げ時における角穴車３０の第１回転方向Ｄ１の下流側に位置する。爪部４２の先端面４６は、接触部６０において第１回転方向Ｄ１の下流側に向いている。【選択図】図４
2019128320.tif 000002
【特許請求の範囲】
【請求項１】
第１軸線回りに回転可能であって、ぜんまいを巻き上げ可能に設けられた角穴車と、
第２軸線回りに回転可能に設けられ、前記角穴車に噛み合う爪部を有するこはぜと、
を備え、
前記爪部と前記角穴車との接触部は、前記こはぜおよび前記角穴車の中心線よりも、前記ぜんまいの巻き上げ時における前記角穴車の第１回転方向の下流側に位置し、
前記爪部の表面は、前記接触部において前記第１回転方向の下流側に向いている、
ことを特徴とするムーブメント。
【請求項２】
前記接触部における法線は、前記第２軸線の軸線方向から見て、前記第２軸線を通る、
ことを特徴とする請求項１に記載のムーブメント。
【請求項３】
前記爪部は、前記接触部を含み前記第２軸線の軸線方向から見て前記第２軸線を中心とする円弧状に延びる接触面を有する、
ことを特徴とする請求項２に記載のムーブメント。
【請求項４】
前記こはぜに係合し、前記爪部を前記角穴車に向けて付勢する付勢部材をさらに備え、
前記付勢部材は、前記第２軸線の軸線方向から見て、少なくとも一部が前記こはぜに重なるように設けられている、
ことを特徴とする請求項１から請求項３のいずれか１項に記載のムーブメント。
【請求項５】
前記付勢部材は、先端部において前記こはぜに係合する片持ち梁であって、中間部が基端部および先端部よりも前記第２軸線から離れた位置に設けられている、
ことを特徴とする請求項４に記載のムーブメント。
【請求項６】
請求項１から請求項５のいずれか１項に記載のムーブメントを備えることを特徴とする時計。
【発明の詳細な説明】
【技術分野】
【０００１】
本発明は、ムーブメントおよび時計に関するものである。
【背景技術】
【０００２】
従来、機械式時計のムーブメントは、動力ぜんまいが収容された香箱車と、ぜんまいを巻き上げる角穴車と、角穴車を回転させる巻上輪列と、を備えている。角穴車には、巻き上げたぜんまいの巻き解けを防止するために、角穴車の逆転を規制するこはぜが係合する。例えば、特許文献１には、板材により形成され、一端をこはぜとして用いる規制レバーが記載されている。
【先行技術文献】
【特許文献】
【０００３】
【特許文献１】実開昭５２−１６２１７２号公報
【発明の概要】
【発明が解決しようとする課題】
【０００４】
しかしながら、特許文献１に記載の技術では、規制レバーが角穴車を径方向に跨ぐように設けられているので、規制レバーを配置するスペースが角穴車と重なる位置に必要となる。このため、ムーブメントが角穴車の厚み方向に大型化する。さらに、特許文献１に記載の技術では、こはぜの姿勢を維持するための構造も必要となるので、ムーブメントが平面的にも大型化するおそれがある。したがって、従来技術にあっては、ムーブメント、およびそのムーブメントを備える時計を小型化するという課題がある。
【０００５】
そこで本発明は、小型化が可能なムーブメントおよび時計を提供するものである。
【課題を解決するための手段】
【０００６】
本発明のムーブメントは、第１軸線回りに回転可能であって、ぜんまいを巻き上げ可能に設けられた角穴車と、第２軸線回りに回転可能に設けられ、前記角穴車に噛み合う爪部を有するこはぜと、を備え、前記爪部と前記角穴車との接触部は、前記こはぜおよび前記角穴車の中心線よりも、前記ぜんまいの巻き上げ時における前記角穴車の第１回転方向の下流側に位置し、前記爪部の表面は、前記接触部において前記第１回転方向の下流側に向いている、ことを特徴とする。
【０００７】
本発明によれば、ぜんまいの巻き解けによって第１回転方向とは反対方向のトルクが角穴車に作用した際に、こはぜおよび角穴車の中心線よりも第１回転方向の下流側の位置において、角穴車がこはぜの爪部に対して第１回転方向の下流側から接触する。このため、こはぜの爪部は、角穴車の第１回転方向への回転を規制するように角穴車を突っ張る。これにより、他の部材を用いることなく爪部の姿勢を維持しつつ、角穴車の回転を規制できる。よって、爪部の寸法を小型化しても、こはぜを角穴車の第１回転方向とは反対方向への回転を規制する部材として機能させることができる。したがって、従来技術のような規制レバーの一部をこはぜとして用いる場合と比較して小型化が可能なムーブメントを提供できる。
【０００８】
上記のムーブメントにおいて、前記接触部における法線は、前記第２軸線の軸線方向から見て、前記第２軸線を通る、ことが望ましい。
【０００９】
本発明によれば、接触部において爪部に作用する角穴車からの力のうち法線方向の分力は、第２軸線に向かって作用するので、こはぜの爪部が第２軸線回りに回転して角穴車に対してずれることを抑制できる。したがって、角穴車がこはぜの爪部によって確実に突っ張られ、角穴車の第１回転方向とは反対方向への回転を確実に規制することができる。
【００１０】
上記のムーブメントにおいて、前記爪部は、前記接触部を含み前記第２軸線の軸線方向から見て前記第２軸線を中心とする円弧状に延びる接触面を有する、ことが望ましい。
【００１１】
本発明によれば、角穴車が爪部の接触面のいずれの位置に接触した場合であっても、爪部に作用する角穴車からの力のうち法線方向の分力が第２軸線に向かって作用する。したがって、こはぜおよび角穴車の相対位置の位置ずれ等の伴う接触部の位置ずれを許容することが可能となる。
【００１２】
上記のムーブメントにおいて、前記こはぜに係合し、前記爪部を前記角穴車に向けて付勢する付勢部材をさらに備え、前記付勢部材は、前記第２軸線の軸線方向から見て、少なくとも一部が前記こはぜに重なるように設けられている、ことが望ましい。
【００１３】
本発明によれば、付勢部材全体が表裏方向から見てこはぜと並んで設けられた場合と比較して、こはぜおよび付勢部材が配置されるスペースを小さくすることができる。したがって、ムーブメントをより小型化することができる。
【００１４】
上記のムーブメントにおいて、前記付勢部材は、先端部において前記こはぜに係合する片持ち梁であって、中間部が基端部および先端部よりも前記第２軸線から離れた位置に設けられている、ことが望ましい。
【００１５】
本発明によれば、第２軸線を基準とした付勢部材の最大外径が大きくなることを抑制しつつ、片持ち梁の長さを確保できる。したがって、付勢部材の小型化、および付勢部材の付勢力の設計自由度の向上を両立できる。
【００１６】
本発明の時計は、上記のムーブメントを備えることを特徴とする。
【００１７】
本発明によれば、小型化が可能なムーブメントを備えるので、時計を小型化することが可能となる。
【発明の効果】
【００１８】
本発明によれば、小型化が可能なムーブメントおよび時計を提供することができる。
【図面の簡単な説明】
【００１９】
【図１】実施形態の時計の外観図である。
【図２】実施形態のムーブメントを表側から見た平面図である。
【図３】図２のＩＩＩ−ＩＩＩ線における断面図である。
【図４】実施形態のムーブメントの要部を表側から見た平面図である。
【図５】図２のＶ−Ｖ線における断面図である。
【図６】実施形態のムーブメントの動作を説明する図である。
【図７】実施形態のムーブメントの動作を説明する図である。
【発明を実施するための形態】
【００２０】
以下、本発明の実施形態を図面に基づいて説明する。なお以下の説明では、同一または類似の機能を有する構成に同一の符号を付す。そして、それら構成の重複する説明は省略する場合がある。
【００２１】
一般に、時計の駆動部分を含む機械体を「ムーブメント」と称する。このムーブメントに文字板、針を取り付けて、時計ケースの中に入れて完成品にした状態を時計の「コンプリート」と称する。時計の基板を構成する地板の両側のうち、時計ケースのガラスのある方の側（文字板のある方の側）をムーブメントの「裏側」と称する。また、地板の両側のうち、時計ケースのケース裏蓋のある方の側（文字板と反対の側）をムーブメントの「表側」と称する。なお、以下で説明する各車は、いずれもムーブメントの表裏面方向を回転軸線方向として設けられている。
【００２２】
図１は、実施形態の時計の外観図である。
図１に示すように、本実施形態の時計１のコンプリートは、図示しないケース裏蓋及びガラス２からなる時計ケース３内に、ムーブメント１０と、少なくとも時に関する情報を示す目盛り等を有する文字板４と、時を示す時針５、分を示す分針６、及び秒を示す秒針７を含む指針と、を備えている。時計１は、いわゆる自動巻き式の腕時計であって、回転錘（不図示）をユーザーの動きにより回転させることで、自動巻輪列を介して時計１の動力源であるぜんまい２３（図３参照）が巻き上げられる。また、時計１は、手動によってもぜんまい２３の巻き上げが可能となっており、りゅうず８を回転させることで、手動巻輪列を介してぜんまい２３が巻き上げられる。
【００２３】
図２は、実施形態のムーブメントを表側から見た平面図である。図３は、図２のＩＩＩ−ＩＩＩ線における断面図である。
図２および図３に示すように、ムーブメント１０は、地板１１と、地板１１よりも表側に配置された香箱受１２と、ぜんまい２３が収納された香箱車２０と、ぜんまい２３を巻き上げ可能に設けられた角穴車３０と、角穴車３０に噛み合う爪部４２を有するこはぜ４０と、こはぜ４０に係合するこはぜばね５０（付勢部材）と、を備えている。なお、ムーブメント１０は、香箱車２０や図示しない二番車、三番車、四番車等を含む表輪列、およびてんぷやがんぎ車、アンクル等を含む脱進・調速機構を備えているが、詳細な説明は省略する。
【００２４】
図３に示すように、香箱車２０は、香箱真２１と、香箱真２１に取り付けられた香箱２２と、香箱２２に収容されたぜんまい２３と、を有している。香箱真２１は、地板１１と、香箱受１２と、により第１軸線Ｏ回りに回転可能に支持されている。香箱２２は、香箱真２１に回転可能に支持されている。ぜんまい２３の内側端部は、香箱真２１に接続されている。ぜんまい２３の外側端部は、香箱２２の内周面に接続されている。ぜんまい２３は、香箱真２１が回転することで、巻き上げられる。香箱２２は、ぜんまい２３が巻き解ける際の復元力により回転し、表輪列を駆動する。
【００２５】
角穴車３０は、香箱車２０と同軸上に配置されている。角穴車３０は、香箱真２１のうち、香箱２２と香箱受１２との間に位置する部分に固定されている。角穴車３０は、第１軸線Ｏ回りの第１回転方向Ｄ１（図４参照）に香箱真２１と一体で回転することにより、香箱２２に収容されたぜんまい２３を巻き上げる。角穴車３０には、ぜんまい２３が巻き解ける際の復元力により、第１回転方向Ｄ１とは反対の第２回転方向Ｄ２のトルクが作用している。角穴車３０の外周部には、歯３１が形成されている。角穴車３０には、自動巻輪列または手動巻輪列が有する歯車（例えば丸穴車）が噛み合っている。
【００２６】
こはぜ４０は、表裏方向から見て角穴車３０と重ならないように配置されている。こはぜ４０は、香箱受１２により第２軸線Ｐ回りに回転可能に支持されている。具体的に、こはぜ４０は、香箱受１２から表側に立設された円筒状の支持筒１３に外挿されている。支持筒１３の表側の端部は、支持筒１３のうちこはぜ４０が外挿された部分よりも小径に形成されている。支持筒１３の表側の端部には、ブッシュ１４が外挿されている。ブッシュ１４は、支持筒１３の段差面と、支持筒１３に表側から螺入されたねじ１５の座面と、により挟持されている。ブッシュ１４の裏側の端部には、径方向の外側に向かって張り出すフランジ１４ａが設けられている。フランジ１４ａの外径は、支持筒１３のうちこはぜ４０が外挿された部分よりも大径に形成されている。ブッシュ１４のうちフランジ１４ａよりも表側の部分の外径は、ねじ１５の頭の外径よりも小さい。こはぜ４０は、香箱受１２と、ブッシュ１４のフランジ１４ａと、の間で縦アガキを含む状態で支持筒１３に支持されている。なお、縦アガキとは、軸に対するスラスト方向の遊びである。
【００２７】
図４は、実施形態のムーブメントの要部を表側から見た平面図である。
図４に示すように、こはぜ４０は、支持筒１３（図３参照）に外挿された円環状の基部４１と、基部４１から第２軸線Ｐに直交する方向に延びる爪部４２、操作部４３および被付勢レバー４４と、被付勢レバー４４に設けられたピン４５と、を備えている。爪部４２は、角穴車３０に向かって延びている。爪部４２は、接触部６０において角穴車３０に接触している。爪部４２と角穴車３０との接触部６０は、こはぜ４０および角穴車３０の中心線Ｃよりも、第１回転方向Ｄ１の下流側に位置している。なお、こはぜ４０および角穴車３０の中心線Ｃは、表裏方向から見て、こはぜ４０の中心（第２軸線Ｐ）と角穴車３０の中心（第１軸線Ｏ）とを結ぶ線分である。
【００２８】
爪部４２は、接触部６０を含む先端面４６（接触面）を有する。爪部４２の先端面４６は、表裏方向から見て第２軸線Ｐを中心とする円弧状に延びている。爪部４２の先端面４６は、第１回転方向Ｄ１の下流側に向いている。爪部４２の先端面４６には、角穴車３０の歯面３２が第１回転方向Ｄ１の下流側から当接している。なお、以下の説明では、第２軸線Ｐ回りの周方向のうち、爪部４２の先端が中心線Ｃに近付く方向を係合方向と称する。
【００２９】
操作部４３は、こはぜ４０を手動で回動させる際に操作するレバー状の部位である。操作部４３は、爪部４２とは異なる位置に設けられている。本実施形態では、操作部４３は、第２軸線Ｐを挟んで爪部４２とは反対側に設けられている。なお、図２に示すように、香箱受１２には、表裏方向から見て操作部４３の先端と重なる位置において、操作部４３を避けるように形成された避け部１２ａが形成されている。本実施形態では、避け部１２ａは、香箱受１２を表裏方向に貫通する貫通孔である。避け部１２ａは、こはぜ４０を手動で回動させる際に、操作部４３を操作する工具と香箱受１２とが接触することを避けるためのスペースとなる。
【００３０】
図４に示すように、被付勢レバー４４は、爪部４２および操作部４３とは異なる位置に設けられている。本実施形態では、被付勢レバー４４は、表裏方向から見て、操作部４３と中心線Ｃとの間であって中心線Ｃを挟んで爪部４２とは反対側に設けられている。
【００３１】
図５は、図２のＶ−Ｖ線における断面図である。
図５に示すように、被付勢レバー４４には、ピン４５が挿入されるピン挿入部４４ａが形成されている。ピン挿入部４４ａは、表裏方向に貫通する孔である。
【００３２】
ピン４５は、ピン挿入部４４ａに表側から挿入されて、被付勢レバー４４に固定されている。ピン４５は、表裏方向に延びる円柱状に形成されている。ピン４５の表側の端部には、径方向外側に向かって張り出す鍔部４５ａが形成されている。
【００３３】
こはぜばね５０は、香箱受１２の表側に配置されている。こはぜばね５０は、こはぜ４０を係合方向に付勢する片持ち梁である。こはぜばね５０の基端部５１は、円環状に形成され、ブッシュ１４の表側の端部に外挿されている。こはぜばね５０の基端部５１は、ブッシュ１４のフランジ１４ａと、ねじ１５の座面と、の間で縦アガキを含む状態で、ブッシュ１４を介して支持筒１３に支持されている。
【００３４】
図４に示すように、こはぜばね５０は、中間部５２が基端部５１および先端部５３よりも第２軸線Ｐから離れた位置に設けられるように、Ｕ字状に形成されている。本実施形態では、こはぜばね５０は、表裏方向から見て、基端部５１から直線状に延びた後、中間部５２において１８０°湾曲し、先端部５３に向かって直線状に延びている。基端部５１と中間部５２との間の第１部分５４は、中間部５２と先端部５３との間の第２部分５５よりも係合方向の下流側に位置している。第１部分５４と第２部分５５との間には、こはぜ４０のピン４５が配置されている。第２部分５５は、ピン４５に係合方向の上流側から接触している。本実施形態では、先端部５３がピン４５に接触している。第１部分５４は、香箱受１２に固定された当接ピン１６に、係合方向の下流側から接触している。当接ピン１６は、表裏方向から見た第１部分５４と第２部分５５との間の領域において、香箱受１２から表側に立設されている。これにより、こはぜばね５０は、香箱受１２に対して係合方向とは反対方向への回動が規制されている。そして、こはぜばね５０は、香箱受１２に対してピン４５を係合方向に付勢している。よって、こはぜばね５０は、こはぜ４０の爪部４２を角穴車３０に向けて付勢している。
【００３５】
ここで、こはぜ４０および角穴車３０に作用する力について説明する。
図６および図７は、実施形態のムーブメントの動作を説明する図であって、実施形態のムーブメントの要部を表側から見た平面図である。
図６に示すように、こはぜ４０の爪部４２と角穴車３０との接触部６０は、中心線Ｃよりも第１回転方向Ｄ１の下流側に位置している。爪部４２の先端面４６は、こはぜ４０と角穴車３０との接触部６０において、第１回転方向Ｄ１の下流側に向いている。爪部４２の先端面４６には、角穴車３０の歯面３２が第１回転方向Ｄ１の下流側から接触している。ぜんまい２３の巻き解ける際の復元力によって角穴車３０が第２回転方向Ｄ２のトルクを受けると、爪部４２の先端面４６には、角穴車３０からの力Ｆが作用する。角穴車３０からの力Ｆは、こはぜ４０と角穴車３０との接触部６０から、第１軸線Ｏを中心とする円の接線方向に作用する。
【００３６】
ここで、爪部４２の先端面４６は、表裏方向から見て第２軸線Ｐを中心とする円弧状に延びているので、爪部４２の先端面４６と角穴車３０の歯面３２との接触部６０における法線Ｎは、第２軸線Ｐを通る。よって、爪部４２の先端面４６に作用する角穴車３０からの力Ｆのうち法線Ｎ方向の分力Ｆ１は、第２軸線Ｐに向かって作用する。したがって、こはぜ４０の爪部４２は、第２軸線Ｐ回りに回動せずに角穴車３０を突っ張り、角穴車３０の第２回転方向Ｄ２の回転を規制する。
【００３７】
また、こはぜ４０の爪部４２は、こはぜばね５０により角穴車３０に向けて付勢されている。このため、爪部４２は、角穴車３０の複数の歯３１のうち、爪部４２の先端面４６に接触している歯３１よりも１つだけ第１回転方向Ｄ１の上流側に位置する歯３１に、係合方向の上流側から接触している。よって、爪部４２は、係合方向への回動が規制され、角穴車３０を突っ張った状態を維持する。
【００３８】
一方で、図７に示すように、角穴車３０にぜんまい２３を巻き上げる際の第１回転方向Ｄ１のトルクが作用すると、角穴車３０はこはぜばね５０の付勢力に抗しつつ、こはぜ４０の爪部４２を係合方向とは反対方向に回動させる。これにより、角穴車３０は、こはぜ４０の爪部４２に角穴車３０の歯３１を一つずつ乗り越えさせるようにして、第１回転方向Ｄ１に回転する。
【００３９】
以上に詳述したように、本実施形態では、こはぜ４０の爪部４２と角穴車３０との接触部６０は、こはぜ４０および角穴車３０の中心線Ｃよりも第１回転方向Ｄ１の下流側に位置し、こはぜ４０の爪部４２の先端面４６は、第１回転方向Ｄ１の下流側に向いている構成とした。
この構成によれば、ぜんまい２３の巻き解けによって第１回転方向Ｄ１とは反対方向（第２回転方向Ｄ２）のトルクが角穴車３０に作用した際に、中心線Ｃよりも第１回転方向Ｄ１の下流側の位置において、角穴車３０がこはぜ４０の爪部４２に対して第１回転方向Ｄ１の下流側から接触する。このため、こはぜ４０の爪部４２は、角穴車３０の第１回転方向Ｄ１への回転を規制するように角穴車３０を突っ張る。これにより、他の部材を用いることなく爪部４２の姿勢を維持しつつ、角穴車３０の回転を規制できる。よって、爪部４２の寸法を小型化しても、こはぜ４０を角穴車３０の第１回転方向Ｄ１とは反対方向への回転を規制する部材として機能させることができる。したがって、従来技術のような規制レバーの一部をこはぜとして用いる場合と比較して小型化が可能なムーブメント１０および時計１を提供できる。
【００４０】
また、こはぜ４０の爪部４２と角穴車３０との接触部６０における法線Ｎは、表裏方向から見て、第２軸線Ｐを通る。この構成によれば、接触部６０において爪部４２に作用する角穴車３０からの力Ｆのうち法線Ｎ方向の分力Ｆ１は、第２軸線Ｐに向かって作用する。このため、こはぜ４０の爪部４２が第２軸線Ｐ回りに回転して角穴車３０に対してずれることを抑制できる。したがって、角穴車３０がこはぜ４０の爪部４２によって確実に突っ張られ、角穴車３０の第１回転方向Ｄ１とは反対方向への回転を確実に規制することができる。
【００４１】
また、こはぜ４０の爪部４２は、接触部６０を含み表裏方向から見て第２軸線Ｐを中心とする円弧状に延びる先端面４６を有している。この構成によれば、角穴車３０が爪部４２の先端面４６のいずれの位置に接触した場合であっても、爪部４２に作用する角穴車３０からの力Ｆのうち法線Ｎ方向の分力Ｆ１が第２軸線Ｐに向かって作用する。したがって、こはぜ４０および角穴車３０の相対位置の位置ずれ等の伴う接触部６０の位置ずれを許容することが可能となる。
【００４２】
また、こはぜばね５０は、表裏方向から見て、少なくとも一部がこはぜ４０に重なるように設けられている。この構成によれば、こはぜばね全体が表裏方向から見てこはぜと並んで設けられた場合と比較して、こはぜ４０およびこはぜばね５０が配置されるスペースを小さくすることができる。したがって、ムーブメント１０をより小型化することができる。
【００４３】
また、こはぜばね５０は、先端部５３においてこはぜ４０に係合する片持ち梁であって、中間部５２が基端部５１および先端部５３よりも第２軸線Ｐから離れた位置に設けられている。この構成によれば、第２軸線Ｐを基準としたこはぜばね５０の最大外径が大きくなることを抑制しつつ、片持ち梁の長さを確保できる。したがって、こはぜばね５０の小型化、およびこはぜばね５０の付勢力の設計自由度の向上を両立できる。
【００４４】
また、こはぜ４０は、基部４１から延びる操作部４３を備え、香箱受１２には、表裏方向から見て操作部４３の先端と重なるにおいて、操作部４３を避けるように形成された避け部１２ａが形成されている。この構成によれば、こはぜ４０を手動で回動させる際に、操作部４３を操作する工具と香箱受１２とが接触することを避けることができるので、ムーブメント１０のメンテナンス時等の作業性を向上させることができる。
【００４５】
なお、本発明は、図面を参照して説明した上述の実施形態に限定されるものではなく、その技術的範囲において様々な変形例が考えられる。
例えば、上記実施形態では、こはぜばね５０が片持ち梁であるが、これに限定されない。例えば、こはぜばねは、ねじりコイルばねであってもよい。
【００４６】
また、上記実施形態では、爪部４２の先端面４６と角穴車３０の歯面３２との接触部６０における法線Ｎが第２軸線Ｐを通るが、これに限定されない。爪部の先端面と角穴車３０の歯面３２との接触部における法線は、第１軸線Ｏと第２軸線Ｐとの間において中心線Ｃと交差してもよい。この場合、爪部に作用する角穴車３０からの力のうち法線方向の分力は、第２軸線Ｐに向かう方向に対して係合方向下流側にずれるので、爪部には係合方向へのトルクが作用する。ただし、爪部は、先端面に接触している歯３１よりも１つだけ第１回転方向Ｄ１の上流側に位置する歯３１に係合方向の上流側から接触しているので、係合方向に回動せずに角穴車３０を突っ張ることができる。
【００４７】
また、爪部の先端面と角穴車３０の歯面３２との接触部における法線は、中心線Ｃと交差しなくてもよい。この場合、爪部に作用する角穴車３０からの力のうち法線方向の分力は、第２軸線Ｐに向かう方向に対して係合方向上流側にずれるので、爪部には係合方向とは反対方向へのトルクが作用する。ただし、爪部と角穴車３０との接触部における摩擦力を適当に設定することで、爪部が係合方向とは反対方向に回動することを抑制して、角穴車３０を突っ張ることができる。
【００４８】
また、上記実施形態では、爪部４２の先端面４６は、表裏方向から見て第２軸線Ｐを中心とする円弧状に延びているが、これに限定されない。例えば、爪部の先端面は、表裏方向から見て直線状に延びていてもよい。
【００４９】
また、上記実施形態では、こはぜ４０のピン４５が被付勢レバー４４に設けられているが、ピンが設けられる部位は特に限定されない。また、こはぜばねは、被付勢レバー等、ピン以外の部位に係合するように設けられていてもよい。
【００５０】
その他、本発明の趣旨を逸脱しない範囲で、上記した実施の形態における構成要素を周知の構成要素に置き換えることは適宜可能である。
【符号の説明】
【００５１】
１…時計  １０…ムーブメント  ２３…ぜんまい  ３０…角穴車  ４０…こはぜ  ４２…爪部  ４６…先端面（接触面）  ５０…こはぜばね（付勢部材）  ５１…基端部  ５２…中間部  ５３…先端部  ６０…接触部  Ｏ…第１軸線  Ｐ…第２軸線  Ｄ１…第１回転方向  Ｃ…中心線  Ｎ…法線
【図１】
2019128320.tif 000003
【図２】
2019128320.tif 000004
【図３】
2019128320.tif 000005
【図４】
2019128320.tif 000006
【図５】
2019128320.tif 000007
【図６】
2019128320.tif 000008
【図７】
2019128320.tif 000009